(57)【要約】    【課題】  医療材の物流サービス方法において、医療材の保管、補充に係る病院の負担を軽減すること。    【解決手段】  医療材の物流サービス方法は、物流業者３Ａが運営する物流業者サーバに、インターネットや電話網などを介して、病院２Ａが所有する病院端末とが接続されることによって構成される医療材の物流サービスシステムを用いて行なわれる。その動作手順は、病院２Ａの保管棚に医療材を納品する物流業者３Ａが運営する物流業者サーバに病院２Ａの保管棚に保管された医療材の保管情報を入力してその保管情報を病院端末に送信し、物流業者サーバから受信した保管情報に基づいて病院端末で所定の処理を行なうことである。【選択図】  図９
2005179016.tif 000002
【特許請求の範囲】
【請求項１】
物流業者が運営する物流業者サーバに、インターネットや電話網などを介して、病院が所有する病院端末とが接続されることによって構成される医療材の物流サービスシステムを用いた物流サービス方法において、
前記病院の保管棚に医療材を納品する物流業者が運営する物流業者サーバに前記病院の保管棚に保管された医療材の保管情報を入力してその保管情報を前記病院端末に送信し、
前記物流業者サーバから受信した保管情報に基づいて前記病院端末で所定の処理を行なう
ことを特徴とする医療材の物流サービス方法。
【請求項２】
物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムを用いた物流サービス方法において、
前記病院からの医療材の発注に基づいて前記医療問屋端末から前記物流業者サーバに発注、納品の代行依頼を送信し、
医療問屋端末から受信した発注、納品の代行依頼に基づいて前記物流業者サーバから前記医療材メーカーに発注を送信する
ことを特徴とする医療材の物流サービス方法。
【請求項３】
物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムを用いた物流サービス方法において、
前記病院の保管棚に保管された医療材の有無を検出するＩＣタグ読み取り装置からの保管情報に基づいて前記病院端末から前記医療問屋端末に補充発注を送信し、
前記病院端末からの医療材の補充発注に基づいて前記医療問屋端末から前記物流業者サーバに補充発注、補充納品の代行依頼を送信し、
医療問屋端末から受信した補充発注、補充納品依頼に基づいて前記物流業者サーバから前記医療材メーカーに発注を送信する
ことを特徴とする医療材の物流サービス方法。
【請求項４】
物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムを用いた物流サービス方法において、
前記病院の保管棚に医療材を納品する物流業者が運営する前記物流業者サーバに、前記病院の保管棚に保管された医療材の保管情報を入力し、
その保管情報を前記物流業者サーバから前記病院端末に送信し、
前記物流業者サーバから受信した保管情報に基づいて前記病院端末から前記医療問屋端末に補充発注を送信し、
前記病院端末から受信した医療材の補充発注に基づいて前記医療問屋端末から前記物流業者サーバに補充発注、補充納品の代行依頼を送信し、
前記医療問屋端末から受信した発注、納品依頼に基づいて物流業者サーバから前記医療材メーカーに発注を送信する
ことを特徴とする医療材の物流サービス方法。
【請求項５】
物流業者が運営する物流業者サーバに、インターネットや電話網などを介して、病院が所有する病院端末とが接続されることによって構成される医療材の物流サービスシステムにおいて、
前記物流業者サーバは、前記病院の保管棚に医療材を納品する物流業者が運営するものであり、前記病院の保管棚に保管された医療材の保管情報を入力して前記病院端末にその保管情報を送信する機能を有し、
前記病院端末は前記物流業者サーバから受信した保管情報に基づいて所定の処理を行なう機能を有する
ことを特徴とする医療材の物流サービスシステム。
【請求項６】
請求項５に記載の医療材の物流サービスシステムにおいて、前記病院端末は、前記病院の各医療部門に配置されると共に、受信した医療材の在庫情報を表示装置の画面に表示する機能を有することを特徴とする医療材の物流サービスシステム。
【請求項７】
請求項５に記載の医療材の物流サービスシステムにおいて、前記病院端末は、前記病院の資材部門に配置されると共に、受信した医療材の在庫情報に基づいて医療材の補充発注を行なう機能を有することを特徴とする医療材の物流サービスシステム。
【請求項８】
物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムにおいて、
前記医療問屋端末は、前記病院からの医療材の発注に基づいて前記物流業者サーバに発注、納品の代行依頼を送信する機能を有し、
前記物流業者サーバは、医療問屋端末から受信した発注、納品の代行依頼に基づいて前記医療材メーカーに発注を行なう機能を有する
ことを特徴とする医療材の物流サービスシステム。
【請求項９】
物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムにおいて、
前記病院端末は、前記病院の保管棚に保管された医療材の有無を検出するＩＣタグ読み取り装置からの保管情報に基づいて前記医療問屋端末に補充発注を送信する機能を有し、
前記医療問屋端末は、前記病院からの医療材の補充発注に基づいて前記物流業者サーバに補充発注、補充納品の代行依頼を送信する機能を有し、
前記物流業者サーバは、前記医療問屋端末から受信した補充発注、補充納品依頼に基づいて前記医療材メーカーに補充発注を行なう機能を有する
ことを特徴とする医療材の物流サービスシステム。
【請求項１０】
物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムにおいて、
前記物流業者サーバは、前記病院の保管棚に医療材を納品する物流業者が運営するものであり、前記病院の保管棚に保管された医療材の保管情報を入力して前記病院端末にその保管情報を送信する機能と、前記医療問屋端末から受信した発注、納品依頼に基づいて前記医療材メーカーに発注を行なう機能とを有し、
前記病院端末は、前記物流業者サーバからの保管情報に基づいて前記医療問屋端末に補充発注を送信する機能を有し、
前記医療問屋端末は、前記病院端末からの医療材の補充発注に基づいて前記物流業者サーバに補充発注、補充納品の代行依頼を送信する機能を有する
ことを特徴とする医療材の物流サービスシステム。
【発明の詳細な説明】
【技術分野】
【０００１】
本発明は、医療材の物流サービス方法およびその物流サービスシステムに関するものである。
【背景技術】
【０００２】
従来の医療材の物流サービス方法およびその物流サービスシステムを図１６を参照しながら説明する。図１６は従来における医療材の物流サービス方法およびシステムの概要を示すブロック説明図である。なお、図１６における図１〜図１５と同一符号は同一物または相当物を示す。
【０００３】
病院２Ａで医療材を新規に発注する場合には、病院２Ａの資材部門２Ａ１の病院端末で発注に必要なデータを作成し、医療問屋４Ａの医療問屋端末に送信する。医療問屋４Ａは、病院端末から医療問屋端末に新規発注を受注したら、医療問屋端末にて発注に必要なデータを作成し、医療材メーカー５Ａの医療材メーカー端末に発注する。医療材メーカー５Ａは、医療問屋端末から医療材メーカー端末に新規発注を受注したら、受注した医療材を医療問屋４Ａに直接に、或は医療問屋（大型物流）４Ａａを通して納品する。医療問屋４Ａは、医療材メーカー５Ａから医療材を受け取ったら、納入先である病院２Ａの物流部門２Ａ３に納品する。
【０００４】
この納品された医療材は、病院２Ａの物流部門２Ａ３によって病院２Ａの医療部門２Ａ２の保管棚に仕分けされて保管され、管理される。保管棚に保管された医療材は医療部門２Ａ２の医師や看護士などにより適宜に取り出されて使用される。病院２Ａの医療部門２Ａ２または物流部門２Ａ３は、医療材の取り出しの際または保管の際に、保管棚における医療材の使用状況を毎回チェックし、医療材の補充が必要と判断した場合には、資材部門２Ａ１に補充情報を送信する。病院２Ａの資材部門２Ａ１は、この補充情報を受信したら、資材部門２Ａ１の病院端末２で発注に必要なデータを作成し、医療問屋４Ａの医療問屋端末に送信する。以下、上述した新規発注以降と同じ動作が行なわれて医療材が補充される。
【０００５】
薬品の物流システムに関する文献としては、特開２００３−９５４３９号公報（特許文献１）が挙げられる。
【０００６】
【特許文献１】特開２００３−９５４３９号公報
【発明の開示】
【発明が解決しようとする課題】
【０００７】
従来の医療材の物流サービス方法およびその物流サービスシステムにおいては、病院２Ａの物流部門２Ａ３によって納品された医療材が病院２Ａの医療部門２Ａ２の保管棚に保管されると共に、病院２Ａの医療部門２Ａ２または物流部門２Ａ３によって保管棚における医療材の補充管理が行なわれて資材部門２Ａ１に補充依頼するようになっているため、病院２Ａにおけるこれらの負担が大きなものとなっていた。
【０００８】
また、病院２Ａから受注した医療問屋４Ａが医療材メーカーへの発注、その後の納品など管理を全て行なっているため、医療問屋４Ａにおけるこれらの負担が大きなものとなっていた。
【０００９】
本発明の目的は、医療材の保管、補充に係る病院の負担を軽減することができる医療材の物流サービス方法およびその物流サービスシステムを提供することにある。
また、本発明の別の目的は、医療材の発注、納品に係る医療問屋の負担を軽減することができる医療材の物流サービス方法およびその物流サービスシステムを提供することにある。
また、本発明の別の目的は、医療材の保管、補充に係る病院の負担を軽減すると共に、迅速、確実に補充の管理を行なうことができる医療材の物流サービス方法およびその物流サービスシステムを提供することにある。
また、本発明の別の目的は、医療材の保管、補充に係る病院の負担を軽減すると共に、迅速、確実に補充の管理を行なうことができ、しかも医療材の発注、納品に係る医療問屋の負担を軽減することができる医療材の物流サービス方法およびその物流サービスシステムを提供することにある。
【課題を解決するための手段】
【００１０】
前記一番目の目的を達成するために、本発明は、物流業者が運営する物流業者サーバに、インターネットや電話網などを介して、病院が所有する病院端末とが接続されることによって構成される医療材の物流サービスシステムを用いた物流サービス方法において、前記病院の保管棚に医療材を納品する物流業者が運営する物流業者サーバに前記病院の保管棚に保管された医療材の保管情報を入力してその保管情報を前記病院端末に送信し、前記物流業者サーバから受信した保管情報に基づいて前記病院端末で所定の処理を行なうようにしたことにある。
前記一番目の目的を達成するために、本発明は、物流業者が運営する物流業者サーバに、インターネットや電話網などを介して、病院が所有する病院端末とが接続されることによって構成される医療材の物流サービスシステムにおいて、前記物流業者サーバは、前記病院の保管棚に医療材を納品する物流業者が運営するものであり、前記病院の保管棚に保管された医療材の保管情報を入力して前記病院端末にその保管情報を送信する機能を有し、前記病院端末は前記物流業者サーバから受信した保管情報に基づいて所定の処理を行なう機能を有する構成としたことにある。
前記二番目の目的を達成するために、本発明は、物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムを用いた物流サービス方法において、前記病院からの医療材の発注に基づいて前記医療問屋端末から前記物流業者サーバに発注、納品の代行依頼を送信し、医療問屋端末から受信した発注、納品の代行依頼に基づいて前記物流業者サーバから前記医療材メーカーに発注を送信するようにしたことにある。
前記二番目の目的を達成するために、本発明は、物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムにおいて、前記医療問屋端末は、前記病院からの医療材の発注に基づいて前記物流業者サーバに発注、納品の代行依頼を送信する機能を有し、前記物流業者サーバは、医療問屋端末から受信した発注、納品の代行依頼に基づいて前記医療材メーカーに発注を行なう機能を有する構成にしたことにある。
前記三番目の目的を達成するために、本発明は、物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムを用いた物流サービス方法において、前記病院の保管棚に保管された医療材の有無を検出するＩＣタグ読み取り装置からの保管情報に基づいて前記病院端末から前記医療問屋端末に補充発注を送信し、前記病院端末からの医療材の補充発注に基づいて前記医療問屋端末から前記物流業者サーバに補充発注、補充納品の代行依頼を送信し、医療問屋端末から受信した補充発注、補充納品依頼に基づいて前記物流業者サーバから前記医療材メーカーに発注を送信するようにしたことにある。
前記三番目の目的を達成するために、本発明は、物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムにおいて、前記病院端末は、前記病院の保管棚に保管された医療材の有無を検出するＩＣタグ読み取り装置からの保管情報に基づいて前記医療問屋端末に補充発注を送信する機能を有し、前記医療問屋端末は、前記病院からの医療材の補充発注に基づいて前記物流業者サーバに補充発注、補充納品の代行依頼を送信する機能を有し、前記物流業者サーバは、前記医療問屋端末から受信した補充発注、補充納品依頼に基づいて前記医療材メーカーに補充発注を行なう機能を有する構成にしたことにある。
前記四番目の目的を達成するために、本発明は、物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムを用いた物流サービス方法において、前記病院の保管棚に医療材を納品する物流業者が運営する前記物流業者サーバに、前記病院の保管棚に保管された医療材の保管情報を入力し、その保管情報を前記物流業者サーバから前記病院端末に送信し、前記物流業者サーバから受信した保管情報に基づいて前記病院端末から前記医療問屋端末に補充発注を送信し、前記病院端末から受信した医療材の補充発注に基づいて前記医療問屋端末から前記物流業者サーバに補充発注、補充納品の代行依頼を送信し、前記医療問屋端末から受信した発注、納品依頼に基づいて物流業者サーバから前記医療材メーカーに発注を送信するようにしたことにある。
前記四番目の目的を達成するために、本発明は、物流業者が運営する物流業者サーバに、インターネットや電話網などを介して、病院が所有する病院端末と、医療問屋が所有する医療問屋端末と、医療材メーカーが所有する医療材メーカー端末と、運送業者が所有する運送業者端末とが接続されることによって構成される医療材の物流サービスシステムにおいて、前記物流業者サーバは、前記病院の保管棚に医療材を納品する物流業者が運営するものであり、前記病院の保管棚に保管された医療材の保管情報を入力して前記病院端末にその保管情報を送信する機能と、前記医療問屋端末から受信した発注、納品依頼に基づいて前記医療材メーカーに発注を行なう機能とを有し、
前記病院端末は、前記物流業者サーバからの保管情報に基づいて前記医療問屋端末に補充発注を送信する機能を有し、前記医療問屋端末は、前記病院端末からの医療材の補充発注に基づいて前記物流業者サーバに補充発注、補充納品の代行依頼を送信する機能を有する構成にしたことにある。
【発明の効果】
【００１１】
本発明の医療材の物流サービス方法およびその物流サービスシステムによれば、医療材の保管、補充に係る病院の負担を軽減することができる。
また、本発明の医療材の物流サービス方法およびその物流サービスシステムよれば、医療材の発注、納品に係る医療問屋の負担を軽減することができる。
また、本発明の医療材の物流サービス方法およびその物流サービスシステムによれば、医療材の保管、補充に係る病院の負担を軽減すると共に、迅速、確実に補充の管理を行なうことができる。
また、本発明の医療材の物流サービス方法およびその物流サービスシステムによれば、医療材の保管、補充に係る病院の負担を軽減すると共に、迅速、確実に補充の管理を行なうことができ、しかも医療材の発注、納品に係る医療問屋の負担を軽減することができる。
【発明を実施するための最良の形態】
【００１２】
以下、本発明の複数の実施例について図を用いて説明する。各実施例の図における同一符号は同一物または相当物を示す。なお、それぞれの実施例を必要に応じて適宜に組み合わせることによって、より効果的なものとすることができる。
【００１３】
本発明の第１実施例を図１から図１１を用いて説明する。
【００１４】
まず、本実施例の医療材の物流サービスシステムの概要を図１および図２に基づいて説明する。図１は本発明の第１実施例の医療材の物流サービスシステムの構成図、図２は図１の医療材の物流サービスシステムへの登録申請書を示す図である。なお、医療材は、医薬品および医療器材などを含むものである。
【００１５】
病院の医療材の物流サービスシステムは、物流業者３Ａが運営する物流業者サーバ３に、インターネット１や電話網１Ａなどを介して、複数の病院２Ａが所有する病院端末２と、多数の医療問屋４Ａが所有する医療問屋端末４と、多数の医療材メーカー５Ａが所有する医療材メーカー端末５とが接続されることにより構成される。なお、この医療問屋４Ａは医薬品問屋および医療器材問屋などを含み、医療材メーカー５Ａは医薬品メーカーおよび医療器材メーカーなどを含むものである。
【００１６】
病院２Ａ、医療問屋４Ａおよび医療材メーカー５Ａは、物流業者３Ａに対して病院端末２、医療問屋端末４および医療材メーカー端末５からインターネット１を通して物流業者サーバ３に登録申請し、物流業者３Ａから承認が得られた場合に、会員としてこの医療材の物流サービスシステムに接続して各種サービスを利用することができるようになっている。また、別途、正式に契約書を締結して運用することが好ましい。なお、各種サービスには、狭義の物流サービスの他、これに付属する商流サービスおよび情報流サービスが含まれる。
【００１７】
システム登録申請書は、図２に示すように、申請者、住所、電話番号、契約内容の承諾、決済方法、ＦＡＸ受信番号、およびＥメール受信番号などを具体的に入力する様式よりなっており、この医療材の物流サービスシステムに参加する場合に必須となる申請者特定、契約締結、およびインターネット決済などに関する項目が盛り込まれている。なお、図２に示すシステム登録申請書は、病院２Ａ、医療問屋４Ａおよび医療材メーカー５Ａの全てに共通する様式としているが、それぞれに個別のシステム登録申請書としてもよい。
【００１８】
係る会員制度は、多数の医療問屋４Ａおよび医療材メーカー５Ａの参加を容易にして、本実施例における医療材の物流サービス方法およびその物流サービスシステムを充実したものとすることに寄与する。
【００１９】
次に、病院端末２を図３に基づいて具体的に説明する。図３は図１の医療材の物流サービスシステムに接続される病院端末の構成図である。この病院端末２は、パソコンなどで構成され、入力装置２１、制御装置２２、表示装置２３、記憶装置２４、通信装置２５およびプリンタ２６を有する。
【００２０】
入力装置２１は、キーボードなどからなる文字入力部と、画像読取装置や電子画像入力装置などからなる画像入力部と、マイクなどの音声入力部とを有し、これらの入力結果を制御装置２２に入力するように制御装置２２に接続される。制御装置２２は、マイコンなどにより構成され、入力データおよび物流業者サーバ３から送信されたデータに基づいて所定の処理を行ない、処理結果を記憶装置２４に記憶する共に、表示装置２３およびプリンタ２６に出力し、さらには通信装置２５を介して外部に出力する機能を有している。表示装置２３は、ＣＲＴ表示装置や液晶表示装置などにより構成され、制御装置２２に接続され、入力内容や受信内容や処理内容などが表示される。記憶装置２４は、病院２Ａ固有の情報（例えば、この医療材の物流サービスシステムへの登録内容など）を記憶し、制御装置２２に接続されている。通信装置２５は、病院端末２をインターネット１や電話網１Ａなどに送受信を可能にする機能を有し、インターネット１や電話網１Ａと制御装置２２の間に接続される。プリンタ２６は普通紙プリンタで構成され、制御装置２２に接続されている。
【００２１】
なお、この病院端末２は上述した構成の中に電話やＦＡＸの機能を備えるようにしているが、電話やＦＡＸなどを独立させて構成し、これらを病院端末２の一部とするようにしてもよい。そして、病院端末２が携帯用であってもよく、さらには携帯電話やＰＨＳなどに共用されていてもよい。
【００２２】
次に、物流業者サーバ３を図４および図５に基づいて具体的に説明する。図４は図１の医療材の物流サービスシステムに用いる物流業者サーバの構成図、図５は図４の物流業者サーバのファイル構造図である。
【００２３】
この物流業者サーバ３は、図５に示すように、入力装置３１、制御装置３２、表示装置３３、記憶装置３４、および通信装置３５、プリンタ３６を有する。この物流業者サーバ３における管理業務としては、物流管理業務、費用請求支払業務およびサイト運営管理業務などである。なお、この物流業者サーバ３は上述した構成の中に電話やＦＡＸの機能を備えるようにしているが、さらに電話やＦＡＸなどを独立させて付加し、これらを物流業者サーバ３の一部を構成するようにしてもよく、しかも、これらが携帯電話やＰＨＳなどに共用されていてもよい。
【００２４】
入力装置３１は、キーボードなどの入力部を有し、制御装置３２に接続される。制御装置３２は、マイコンなどにより構成され、この医療材の物流サービスシステムにおける主要な処理を行なう。なお、この入力装置３１は、複数のものからなり、その一つが携帯用のバーコードリーダーやＩＣタグ受信器などで構成されている。表示装置３３は、ＣＲＴ表示装置、液晶表示装置などにより構成され、制御装置３２に接続され、サイト運営に必要な送受信画面および入力画面などを表示する。記憶装置３４は、制御装置３２の処理に必要な情報を記憶するもので、制御装置３２に接続される。通信装置３５は、制御装置３２をインターネット１や電話網１Ａなどに送受信を可能にする機能を有し、インターネット１や電話網１Ａと制御装置２２の間に接続される。
【００２５】
上述した記憶装置３４内のファイル構造は、図５に示すように、サーバ制御用ソフトウエア３４ａ、システム申請登録管理データベース３４ｂ、入荷・納品情報データベース３４ｃ、受注・発注情報データベース３４ｄおよび費用情報データベース３４ｅを有する。サーバ制御用ソフトウエア３４ａは制御装置３２の制御を司るソフトウエアである。システム申請登録管理データベース３４ｂは、この医療材の物流サービスシステムに申請して登録された情報を格納するデータベースである。入荷・納品情報データベース３４ｃは医療材の入荷・納品に係る全ての情報を格納するデータベースである。費用情報データベース３４ｄは、本システムの運営に係る費用や、医療材の入荷および補充に係る費用の情報を格納するデータベースである。これらの情報は、特定の医療材や特定の発注に関連づけて格納されている。
【００２６】
次に、医療問屋端末４を図６および図７に基づいて具体的に説明する。図６は図１の医療材の物流サービスシステムに用いる医療問屋端末の構成図、図７は図６の医療問屋端末の記憶装置のファイル構造図である。医療問屋端末４は、図６に示すように、入力装置４１、制御装置４２、表示装置４３、記憶装置４４、通信装置４５およびプリンタ４６を有する。
【００２７】
そして、入力装置４１は、キーボードなどからなる文字入力部と、画像読取装置や電子画像入力装置などからなる画像入力部と、マイクなどの音声入力部とを有し、これらの入力結果を制御装置４２に入力するように接続される。制御装置４２は、マイコンなどにより構成され、入力データおよび物流業者サーバ３から送信されたデータに基づいて所定の処理を行ない、処理結果を記憶装置４４に記憶する共に、表示装置４３およびプリンタ４６に出力し、さらには通信装置４５を介して外部に出力する機能を有している。表示装置４３は、ＣＲＴ表示装置、液晶表示装置などにより構成され、制御装置４２に接続され、医療問屋４Ａに必要な送受信画面や入力画面などを表示する。記憶装置４４は、医療問屋４Ａ固有の情報（例えば、この医療材の物流サービスシステムへの登録内容や商品情報など）を記憶するもので、制御装置４２に接続される。通信装置４５は、制御装置４２をインターネット１や電話網１Ａなどに送受信を可能にする機能を有し、インターネット１や電話網１Ａと制御装置２２の間に接続される。プリンタ４６は普通紙プリンタで構成され、制御装置４２に接続されている。なお、この医療問屋端末４は上述した構成の中に電話やＦＡＸの機能を備えているが、電話やＦＡＸなどを独立させて構成し、これらを医療問屋端末４の一部とするようにしてもよい。
【００２８】
上述した記憶装置４４内のファイル構造は、図７に示すように、端末制御用ソフトウエア４４ａ、システム申請登録データベース４４ｂおよび医療材情報データベース４４ｃを有する。この医療材情報データベース４４はこの医療材の物流サービスシステムに参加する前に医療問屋４Ａが持っているデータベースがそのまま転用されて利用される。
【００２９】
次に、医療材メーカー端末５を図８に基づいて具体的に説明する。図８は図１の医療材の物流サービスシステムに用いる医療材メーカー端末の構成図である。医療材メーカー端末５は、入力装置５１、制御装置５２、表示装置５３、記憶装置５４、通信装置５５、およびプリンタ５６を有する。
【００３０】
入力装置５１は、キーボードなどからなる文字入力部と、画像読取装置や電子画像入力装置などからなる画像入力部と、マイクなどの音声入力部とを有し、これらの入力結果を制御装置５２に入力するように接続される。制御装置５２は、マイコンなどにより構成され、入力データおよび物流業者サーバ３から送信されたデータに基づいて所定の処理を行ない、処理結果を記憶装置５４に記憶する共に、表示装置５３およびプリンタ５６に出力し、さらには通信装置５５を介して外部に出力する機能を有している。表示装置５３は、ＣＲＴ表示装置、液晶表示装置などにより構成され、制御装置５２に接続され、医療材メーカー５Ａに必要な送受信画面および入力画面などを表示する。記憶装置５４は、医療材メーカー５Ａ固有の情報を記憶するもので、制御装置５２に接続される。通信装置５５は、制御装置５２をインターネット１や電話網１Ａなどに送受信を可能にする機能を有し、インターネット１や電話網１Ａと制御装置５２の間に接続される。プリンタ５６は普通紙プリンタで構成され、制御装置５２に接続されている。なお、この医療材メーカー端末５は上述した構成の中に電話やＦＡＸの機能を備えているが、電話やＦＡＸなどを独立させて構成し、これらを医療材メーカー端末５の一部とするようにしてもよい。
【００３１】
次に、病院の医療材の物流サービス方法を図９から図１１に基づいて説明する。図９は本発明の第１実施例に係る医療材の物流サービス方法およびシステムの概要を示すブロック説明図、図１０は同システムの物流サービス方法を示すフローチャート図、図１１は同システムの医療材の補充方法の説明図である。なお、商流または情報流はインターネット１または電話網１Ａを介して行なわれる。医療材の物流は、一般的には、トラックなどの輸送機関を利用して行なわれる。
【００３２】
病院２Ａで医療材を新規に発注する場合には、図９および図１０に示すように、病院２Ａの資材部門２Ａ１の病院端末２で発注に必要なデータを作成し通信装置２５を通して医療問屋４Ａの医療問屋端末４に送信すると共に、新規発注情報を記憶装置２４に格納する（ステップＳ１）。
【００３３】
医療問屋４Ａは、病院端末２から医療問屋端末４に新規発注を受注したら、受注情報を記憶装置４４に格納する（ステップＳ２）。この受注に基づいて、医療問屋４Ａは、受注した医療材の在庫の有無を医療問屋端末４の記憶装置４４に格納されているデータで確認し、在庫がない場合には、医療問屋端末４にて発注に必要なデータを作成し、通信装置４５を通して医療材メーカー５Ａの医療材メーカー端末５に発注すると共に、新規発注情報を記憶装置４４に格納する（ステップＳ３）。複数の医療材メーカー５Ａに発注が必要な場合には、それぞれの医療材メーカー５Ａに発注が行なわれる。
【００３４】
医療材メーカー５Ａは、医療問屋端末４から医療材メーカー端末５に新規発注を受注したら、受注情報を記憶装置５４に格納する（ステップＳ６）。この受注に基づいて、医療材メーカー５Ａは、受注した医療材を医療問屋４Ａに納品すると共に、納品情報を記憶装置５４に格納する（ステップＳ７）。
【００３５】
医療問屋４Ａは、医療材メーカー５Ａから医療材を受け取ったら、倉庫に保管すると共に、入荷情報を記憶装置４４に格納する（ステップＳ８）。そして、医療問屋４Ａは、納品すべき医療材が揃った時点で、その医療材を物流業者３Ａに納品すると共に、納品情報を記憶装置４４に格納する（ステップＳ９）。なお、順次、医療材を納品するようにしてもよい。また、医療材メーカー５Ａから医療問屋（大型物流）４Ａａを通して物流業者３Ａに納品するようにしてもよい。
【００３６】
物流業者３Ａは、医療問屋４Ａから医療材を受け取ったら、納入先である病院２Ａごとに区別して倉庫に保管すると共に、入荷情報を記憶装置５４に格納する（ステップＳ１０）。そして、物流業者３Ａは、その医療材を倉庫で納入先の保管棚別に仕分けした後に病院２Ａに納品すると共に、納品情報を記憶装置３４に格納する（ステップＳ１１）。このようにして、物流業者３Ａの倉庫は、納入先の病院２Ａの院外倉庫として機能するので、病院２Ａの院内倉庫は縮小することができる。
【００３７】
この納品された医療材は、病院２Ａの医療部門（例えば、複数の手術室Ａ、Ｂ、複数のナースステーションＡ〜Ｚなど）２Ａ２の保管棚に仕分けされて保管される。ここで、物流業者３Ａの納品者が保管棚への保管を代行して行なう（ステップＳ１２）。納品者である物流業者３Ａがこのように代行することによって、病院２Ａ側の負担（納品受領管理、保管作業など）を軽減できる。また、保管棚別に院外倉庫で予め仕分けられた医療材を保管することになるので、一般的に狭い場所となる院内での仕分け作業がなくなり、作業能率および保管の確実性を向上できる。この医療材の保管は、図１１（ａ）に示すように、保管棚上に仕分けのために配置される収納箱６２に医療材６０を収納することにより行なわれ、その際に、医療材の情報を記録したバーコード付きの管理カード６１も一緒に収納される。
【００３８】
上述した保管棚への保管時に、その代行者である物流業者３Ａが管理カード６１のバーコードをバーコードリーダーで読み取って物流業者サーバ３と病院２Ａの医療部門２Ａ２および資材部門２Ａ１の病院端末２とに保管情報をそれぞれ送信する（ステップＳ１３）。物流業者サーバ３に受信された保管情報はその記憶装置３４に格納され（ステップＳ１４）、医療部門２Ａ２の病院端末２に受信された保管情報はその記憶装置２４に格納され（ステップＳ１５）、資材部門２Ａ１の病院端末２に受信された保管情報はその記憶装置２４に格納される（ステップＳ１６）。
【００３９】
そして、医療部門２Ａ２の病院端末２および資材部門２Ａ１の病院端末２が保管情報を受信すると、それぞれが所定の処理を行なう。この所定の処理は、医療部門２Ａ２の病院端末２では保管情報を表示装置の画面に表示することなどであり、資材部門２Ａ１の病院端末２では保管情報に基づいて補充発注を行なうことなどである。
【００４０】
医療材メーカー５Ａから物流業者３Ａへの医療材の納品ルートは、図９に示すように、上述したルートの他に、医療材メーカー５Ａから物流業者３Ａへ直接納品するルートと、別の医療問屋を介して納品するルートがある。この二つの納品ルートのフローチャートによる説明は省略する。
【００４１】
また、物流業者３Ａから病院２Ａへの医療材の納品ルートは、図９に示すように、上述したルートの他に、物流業者３Ａから病院２Ａの院内倉庫へ納品するルートと、別の医療問屋４Ａから病院２Ａの院内倉庫へ納品するルートがある。院内倉庫へ保管された医療材は病院２Ａの医療部門２Ａ２の保管棚に仕分けされて保管されるが、物流業者３Ａの納品者が納品する際にこの保管棚への保管を代行して行なう。このように、院外倉庫および院内倉庫の両倉庫を同じ物流業者３Ａが代行することによって、作業能率および作業の確実性を向上することができる。なお、これらの納品ルートのフローチャートによる説明は省略する。
【００４２】
保管棚に保管された医療材は医療部門２Ａ２の医師や看護士などにより適宜に取り出されて使用される（ステップＳ２１）。保管代行者である物流業者３Ａは、医療材の保管の際に、保管棚における医療材の使用状況を毎回チェックする（ステップＳ２２）。このチェックは、図１１（ｂ）に示すように、取り出された医療材６０の数だけ管理カード６１が余っているので、その分だけ医療材の補充が必要と判断して管理カード６１を取り出してバーコードリーダーで読み取り、資材部門２Ａ１の病院端末２に補充情報を送信する（ステップＳ２３）。これによって、病院２Ａ側の負担、特に医療部門２Ａ２の医師や看護士などの負担を軽減することができ、これに伴って過剰在庫の縮減を図ることができる。
【００４３】
病院２Ａの資材部門２Ａ１は、この補充情報を受信したら、補充情報を記憶装置２４に格納する（ステップＳ２４）。
【００４４】
この補充情報に基づいて、資材部門２Ａ１は、図１０Ｂに示すように、資材部門２Ａ１の病院端末２で発注に必要なデータを作成し通信装置２５を通して医療問屋４Ａの医療問屋端末４に送信すると共に、補充発注情報を記憶装置２４に格納する（ステップＳ３１）。
【００４５】
また、資材部門２Ａ１は、物流業者３Ａへの連絡用として、この補充発注情報を物流業者サーバ３に送信する。物流業者３Ａは、この補充発注情報を受信したら、記憶装置３４に格納すると共に（ステップＳ３５）、補充管理を実行する（ステップＳ６０）。この補充管理には、ステップＳ２３の補充情報に基づいて補充発注が行なわれたかのチェックが含まれる。所定期間内に補充発注が行なわれなかった場合に、図１０には示していないが、物流業者サーバ３から資材部門２Ａ１の病院端末２に未発注補充情報を送信して注意換気するようになっている。これによって、医療材の補充がより確実に行なわれる。また、補充管理には、後述するステップ３９の納品が行なわれたのチェックが含まれる。所定期間内に納品が行なわれなかった場合に、図１０には示していないが、物流業者サーバ３から医療問屋端末４に未納品補充情報を送信して注意換気するようになっている。これによって、医療材の補充がより確実に行なわれる。
【００４６】
医療問屋４Ａは、病院端末２から医療問屋端末４に補充発注を受注したら、受注情報を記憶装置４４に格納する（ステップＳ３２）。この受注に基づいて、医療問屋４Ａは、受注した医療材の在庫の有無を医療問屋端末４の記憶装置４４に格納されているデータで確認し、在庫がない場合には、医療問屋端末４にて発注に必要なデータを作成し、通信装置４５を通して医療材メーカー５Ａの医療材メーカー端末５に発注すると共に、新規発注情報を記憶装置４４に格納する（ステップＳ３３）。複数の医療材メーカー５Ａに発注が必要な場合には、それぞれの医療材メーカー５Ａに発注が行なわれる。
【００４７】
医療材メーカー５Ａは、医療問屋端末４から医療材メーカー端末５に新規発注を受注したら、受注情報を記憶装置５４に格納する（ステップＳ３６）。この受注に基づいて、医療材メーカー５Ａは、受注した医療材を医療問屋４Ａに納品すると共に、納品情報を記憶装置５４に格納する（ステップＳ３７）。
【００４８】
医療問屋４Ａは、医療材メーカー５Ａから医療材を受け取ったら、倉庫に保管すると共に、入荷情報を記憶装置４４に格納する（ステップＳ３８）。その後、その医療材を物流業者３Ａに納品すると共に、納品情報を記憶装置４４に格納する（ステップＳ３９）。
【００４９】
物流業者３Ａは、医療問屋４Ａから医療材を受け取ったら、院外倉庫に保管すると共に、入荷情報を記憶装置５４に格納する（ステップＳ４０）。これによって、病院２Ａの院内倉庫を縮小することができる。そして、医療問屋４Ａは、その医療材を病院２Ａに納品すると共に、納品情報を記憶装置３４に格納する（ステップＳ４１）。この納品の際には、院外倉庫で納入先の保管棚別に仕分けしておく。
【００５０】
この納品された医療材は、病院２Ａの医療部門２Ａ２の保管棚に仕分けされて保管されるが、物流業者３Ａの納品者はこの保管棚への保管を代行して行なう（ステップＳ４２）。このように物流業者３Ａが代行することによって、病院２Ａ側の負担を軽減できる。また、保管棚別に院外倉庫で予め仕分けられた医療材を保管することになるので、病院内での仕分け作業がなくなり、作業能率および保管の確実性を向上できる。
【００５１】
この保管棚への保管時に、その代行者が管理カード６１のバーコードをバーコードリーダーで読み取って物流業者サーバ３と病院２Ａの医療部門２Ａ２および資材部門２Ａ１の病院端末２とに保管情報をそれぞれ送信する（ステップＳ４３）。物流業者サーバ３に受信された保管情報はその記憶装置３４に格納され（ステップＳ４４）、医療部門２Ａ２の病院端末２に受信された保管情報はその記憶装置２４に格納され（ステップＳ４５）、資材部門２Ａ１の病院端末２に受信された保管情報はその記憶装置２４に格納される（ステップＳ４６）。これ以降は、ステップＳ２１に戻る。
【００５２】
医療材メーカー５Ａから病院２Ａへの医療材の補充納品ルートは、新規納品ルートの場合と異なり、上述のルートのみとすることが好ましい。これによって、物流業者３Ａが医療材の補充に関してより迅速に且つ確実に対応することが可能となる。
【００５３】
次に、本発明の第２実施例について図１２および図１３を用いて説明する。図１２は本発明の第２実施例に係る医療材の物流サービス方法およびシステムの概要を示すブロック説明図、図１３は同システムの物流業者サーバの記憶装置内ファイル構造を示す図である。この第２実施例は、次に述べる通り第１実施例と相違するものであり、その他の点については第１実施例と基本的には同一であるので、重複する説明は省略する。
【００５４】
この第２実施例では、医療問屋４Ａから医療材メーカー５Ａに発注するのではなく、医療問屋４Ａから物流業者３Ａに発注してそれ以降の発注から納品までの業務を物流業者３Ａが代行する。具体的には、第２実施例は、第１実施例におけるステップＳ３〜Ｓ９およびステップＳ３３〜Ｓ３９までの業務を実質的に代行するものである。ここで、これらのステップにおける医療問屋４Ａ、医療問屋端末４を物流業者３Ａ、物流業者サーバ３と読み替えるものとする。この代行によって、医療問屋４Ａの負担を軽減することができると共に、医療問屋４Ａの倉庫に保管される手順がなくなることにより、より一層迅速な納品を可能にすることができると共に、物流業者３Ａが医療材の補充に関してほぼ一元管理することができるので、より確実な補充を行なうことができる。
【００５５】
この物流業者３Ａの代行に伴って、この第２実施例では、図１３に示すように、物流業者サーバ３の記憶装置３４内のファイルに受注・発注情報データベース３４ｅをさらに加えてある。この受注・発注情報データベース３４ｅは医療材の受注・発注に係る全ての情報を格納するデータベースであり、受注・発注の際にその情報が格納される。さらには、入荷・納品情報データベース３４ｃおよび費用情報データベース３４ｄには、上記代行に伴う入荷・納品情報および費用情報がその情報が発生する度に格納される。
【００５６】
次に、本発明の第３実施例について図１４および図１５を用いて説明する。図１４は本発明の第３実施例に係る医療材の物流サービス方法およびシステムの概要を示すブロック説明図、図１５は同システムに用いる病院の保管棚の斜視図である。この第３実施例は、次に述べる通り第２実施例と相違するものであり、その他の点については第２実施例と基本的には同一であるので、重複する説明は省略する。
【００５７】
この第３実施例では、図１５に示すように、保管棚６にはＩＣタグ読み取り装置６４が設置されている。保管棚６は複数段（図示例では３段）の棚が設けられており、ＩＣタグ読み取り装置６４は各棚の間口ごとに複数（図示例では３個）並置されている。ＩＣタグ読み取り装置６４は、保管棚６に保管された医療材６０の有無、品名および数量などを検出するものであり、ＡＣ１００Ｖ電源６７に接続されて電力が供給され、無線ＬＡＮ装置６５に接続されて読み取り信号を外部に発するようになっている。無線ＬＡＮ装置６５は、病院２Ａの資材部門２Ａ１および医療部門２Ａ２の病院端末２に無線通信接続されており、ＩＣタグ読み取り装置６４で読み取られた信号はこれらの病院端末２に送信される。なお、無線ＬＡＮ装置６５の代わりにＰＨＳなどを用いてもよい。
【００５８】
また、医療材６０はその個装単位でＩＣタグ６３が装着されているものが用いられる。医療材６０は収納箱６２に複数個収納され、保管棚６の各棚に保管される。医療材６０が保管棚６に新たに保管されると、その保管位置に近いＩＣタグ読み取り装置６４がその保管を検出し、その保管情報を無線ＬＡＮ装置６５を通して資材部門２Ａ１および医療部門２Ａ２の病院端末２に送信する。資材部門２Ａ１および医療部門２Ａ２の病院端末２はこれを受信すると、その情報を記憶装置２４に格納すると共に、各保管棚６に保管されている医療材６０の配置状況、数量などの情報として管理する。
【００５９】
そして、保管棚６に保管された医療材６０が医療部門２Ａ２の医師や看護士などにより適宜に取り出されて使用されると、その保管位置に近いＩＣタグ読み取り装置６４がその取り出しを検出し、その取り出し情報を無線ＬＡＮ装置６５を通して資材部門２Ａ１および医療部門２Ａ２の病院端末２に送信する。資材部門２Ａ１および医療部門２Ａ２の病院端末２はこれを受信すると、その取り出し情報を記憶装置２４に格納すると共に、各保管棚６に保管されている医療材６０の配置状況、数量などの情報として管理する。
【００６０】
医療部門２Ａ２の病院端末２は、医療材６０の取り出し情報を常に管理しており、補充が必要と判定される状態になった場合に、発注に必要なデータを作成し通信装置２５を通して医療問屋４Ａの医療問屋端末４に送信すると共に、補充発注情報を記憶装置２４に格納する。このように補充管理および発注を行なうことにより、物流業者３Ａの代行による補充管理が必要でなくなり、費用節減を図ることができると共に、医療材６０の取り出しに迅速に対応して補充することができる。
【図面の簡単な説明】
【００６１】
【図１】本発明の第１実施例の医療材の物流サービスシステムの構成図である。
【図２】図１の医療材の物流サービスシステムへの登録申請書を示す図である。
【図３】図１の医療材の物流サービスシステムに接続される病院端末の構成図である。
【図４】図１の医療材の物流サービスシステムに用いる物流業者サーバの構成図である。
【図５】図４の物流業者サーバのファイル構造図である。
【図６】図１の医療材の物流サービスシステムに用いる医療問屋端末の構成図である。
【図７】図６の医療問屋端末の記憶装置のファイル構造図である。
【図８】図１の医療材の物流サービスシステムに用いる医療材メーカー端末の構成図である。
【図９】本発明の第１実施例に係る医療材の物流サービス方法およびシステムの概要を示すブロック説明図である。
【図１０Ａ】同システムの物流サービス方法を示すフローチャート図である。
【図１０Ｂ】同システムの物流サービス方法（続き）を示すフローチャート図である。
【図１１】同システムの医療材の補充方法の説明図である。
【図１２】本発明の第２実施例に係る医療材の物流サービス方法およびシステムの概要を示すブロック説明図である。
【図１３】同システムの物流業者サーバの記憶装置内ファイル構造を示す図である。
【図１４】本発明の第３実施例に係る医療材の物流サービス方法およびシステムの概要を示すブロック説明図である。
【図１５】同システムに用いる病院の保管棚の斜視図である。
【図１６】従来の医療材の物流サービス方法およびシステムの概要を示すブロック説明図である。
【符号の説明】
【００６２】
１…インターネット、１Ａ…電話網、２…病院端末、２Ａ…病院、３…物流業者サーバ、３Ａ…物流業者、４…医療問屋端末、４Ａ…医療問屋、５…医療材メーカー端末、５Ａ…医療材メーカー、６…保管棚。
【図１】
2005179016.tif 000003
【図２】
2005179016.tif 000004
【図３】
2005179016.tif 000005
【図４】
2005179016.tif 000006
【図５】
2005179016.tif 000007
【図６】
2005179016.tif 000008
【図７】
2005179016.tif 000009
【図８】
2005179016.tif 000010
【図９】
2005179016.tif 000011
【図１０Ａ】
2005179016.tif 000012
【図１０Ｂ】
2005179016.tif 000013
【図１１】
2005179016.tif 000014
【図１２】
2005179016.tif 000015
【図１３】
2005179016.tif 000016
【図１４】
2005179016.tif 000017
【図１５】
2005179016.tif 000018
【図１６】
2005179016.tif 000019